(57)【要約】      （修正有）【課題】管杭を短時間で接続しやすく、砂質地盤や粘度質地盤にかかわらず押圧又は回転によって貫入容易であって撤去時に引抜き容易な羽根付き小口径連結管杭を提供する。【解決手段】鋼管製の杭本体９の下端部付近の外周に、一巻き又は数巻きの螺旋状の羽根４を突設し、貫通孔１０、１１を設けた羽根付き小口径単管杭２と、羽根付き小口径単管杭３の下側に、少なくとも、貫通孔を備えた小口径単管杭と、杭本体の下端縁側に、杭本体の内周壁面に外周壁面が接する外径を有するパイプ状又は円柱状であって、長手方向に対して直角方向でかつ同一方向の貫通孔１２、１３を少なくとも２箇所設けた管杭ジョイント６と、小口径単管杭の上端部側の貫通孔と管杭ジョイントの下端部側の貫通孔とを挿通させ、かつ羽根付き小口径単管杭の下端部側の貫通孔と管杭ジョイントの上端部側の貫通孔とを挿通させて締結するボルト及びナットとを備える羽根付き小口径連結管杭とする。【選択図】図１
2015063792.tif 000002
【特許請求の範囲】
【請求項１】
鋼管製の杭本体の下端部付近の外周に、一巻き又は数巻きの螺旋状の羽根を突設し、
前記杭本体の上下端縁部からそれぞれ近傍の位置であって、長手方向に対して直角方向で同一方向の貫通孔を少なくとも１箇所ずつ設けた羽根付き小口径単管杭と、
前記羽根付き小口径単管杭の下側に、
前記羽根付き小口径単管杭と同じ外径及び内径を有し、少なくとも、前記羽根付き小口径単管杭の貫通孔と同一の孔径の貫通孔を備えた小口径単管杭と、
前記羽根付き小口径単管杭の下端縁側に、前記羽根付き小口径単管杭の内周壁面に外周壁面が接する外径を有するパイプ状又は円柱状であって、あるいは、前記羽根付き小口径単管杭の外周壁面に内周壁面が接する内径を有するパイプ状であって、長手方向に対して直角方向でかつ同一方向の貫通孔を少なくとも２箇所設けた管杭ジョイントと、
前記小口径単管杭の上端部側の貫通孔と前記管杭ジョイントの下端部側の貫通孔とを挿通させて締結するボルト及びナットと、
前記羽根付き小口径単管杭の下端部側の貫通孔と前記管杭ジョイントの上端部側の貫通孔とを挿通させて締結するボルト及びナットと、
を備えることを特徴とする羽根付き小口径連結管杭。
【請求項２】
前記小口径単管杭の下端部付近の外周に、一巻き又は数巻きの螺旋状の羽根を突設したことを特徴とする請求項１に記載の羽根付き小口径連結管杭。
【請求項３】
前記小口径単管杭の下端部側に下端周縁部を含めた外周壁面をカットする切欠きを設けたことを特徴とする請求項１又は２に記載の羽根付き小口径連結管杭。
【発明の詳細な説明】
【技術分野】
【０００１】
本発明は、砂質地盤や粘度質地盤などの地盤に押圧や回転させながら貫入される、口径が１００ｍｍ以下の羽根付き小口径連結管杭に関するものである。
【背景技術】
【０００２】
回転させながら地盤に打設される鋼管杭として、例えば特許文献１に、建物を水平に修復し、今後の不同沈下を防ぐために、小口径の鋼管を継ぎ足して堅固な地盤まで圧入した小口径鋼管杭の接合構造であって、鋼管の一方端部には雄継手を備え、同他方端部には雄継手に接合する雌継手を備えた小口径鋼管杭の技術が開示されている。
【先行技術文献】
【特許文献】
【０００３】
【特許文献１】特開２０１１−５２３９６号公報
【発明の概要】
【発明が解決しようとする課題】
【０００４】
しかし、特許文献１に記載の発明に羽根を固設すると、ネジ構造であるため接続するのに時間を要したり、地盤中に回転させながら貫入するときには螺合部が締まり方向であるが、地盤中に貫入された管杭を撤去するために引抜くときには逆方向に回転することになるため螺合部が緩みやすいという問題があった。
【０００５】
本発明はこうした問題に鑑み創案されたもので、管杭を短時間で接続しやすく、砂質地盤や粘度質地盤にかかわらず押圧又は回転によって貫入容易であって撤去時に引抜き容易な羽根付き小口径連結管杭を提供することを課題とする。
【課題を解決するための手段】
【０００６】
請求項１に記載の羽根付き小口径連結管杭１の発明は、鋼管製の杭本体９の下端部付近の外周に、一巻き又は数巻きの螺旋状の羽根４を突設し、前記杭本体９の上下端縁部からそれぞれ近傍の位置であって、長手方向に対して直角方向で同一方向の貫通孔１０、１１を少なくとも１箇所ずつ設けた羽根付き小口径単管杭２と、前記羽根付き小口径単管杭２の下側に、前記羽根付き小口径単管杭２と同じ外径及び内径を有し、少なくとも、前記羽根付き小口径単管杭２の貫通孔１１と同一の孔径の貫通孔１１を備えた小口径単管杭３と、前記羽根付き小口径単管杭２の下端縁側に、前記羽根付き小口径単管杭２の内周壁面に外周壁面が接する外径を有するパイプ状又は円柱状であって、あるいは、前記羽根付き小口径単管杭２の外周壁面に内周壁面が接する内径を有するパイプ状であって、長手方向に対して直角方向でかつ同一方向の貫通孔１２、１３を少なくとも２箇所設けた管杭ジョイント６と、前記小口径単管杭３の上端部側の貫通孔１１と前記管杭ジョイント６の下端部側の貫通孔１３とを挿通させて締結するボルト１４及びナットと、前記羽根付き小口径単管杭２の下端部側の貫通孔１０と前記管杭ジョイント６の上端部側の貫通孔１２とを挿通させて締結するボルト１４及びナットと、を備えることを特徴とする。
【０００７】
請求項２に記載の羽根付き小口径連結管杭１の発明は、請求項１において、前記小口径単管杭３の下端部付近の外周に、一巻き又は数巻きの螺旋状の羽根４を突設したことを特徴とする。
【０００８】
請求項３に記載の羽根付き小口径連結管杭１の発明は、請求項１又は２において、前記小口径単管杭３の下端部側に下端周縁部を含めた外周壁面をカットする切欠き５を設けたことを特徴とする。
【発明の効果】
【０００９】
請求項１に記載の羽根付き小口径連結管杭１の発明は、単管杭を連結させる作業が、管杭ジョイント６を上下方向に配設した管杭間に介設する形態でボルト１４及びナットで締結する作業であるので、連結作業が容易にできるという効果を奏する。
【００１０】
羽根付き小口径連結管杭１を砂質地盤や粘土質地盤に貫入させるときにも、羽根付き小口径連結管杭１を砂質地盤や粘土質地盤に貫入させた後に撤去のために引抜くときにも、連結部が緩むことがないという効果を奏する。
【００１１】
羽根付き小口径連結管杭１の少なくとも上側に配設した羽根付き小口径単管杭２には一巻き又は数巻きの螺旋状の羽根４を突設していることにより、羽根付き小口径連結管杭１の上端部への太陽光発電パネル、構造物又は建物等からの圧縮荷重により前記羽根付き小口径連結管杭１が沈下するという危険性が予測されるが、前記羽根４の底面に対する接地圧により鉛直方向の荷重に対して、前記羽根付き小口径連結管杭１が沈下しにくいという効果を奏する。
【００１２】
また、羽根付き小口径連結管杭１の少なくとも上側に配設した羽根付き小口径単管杭２には一巻き又は数巻きの螺旋状の羽根４を突設していることにより、前記羽根４の上部に内部摩擦角φの範囲の土壌の重量Ｗ１、Ｗ２やＷ３が加わるので、例えば強い横風により斜設された太陽光発電パネルを上方向に持ち上げようとする力が働いても、その上軟弱地盤であっても、土壌の重量Ｗ１、Ｗ２やＷ３により前記羽根付き小口径連結管杭１に対する強い横風などによる引抜こうとする力に対して有効に打ち勝つことができ、前記羽根付き小口径連結管杭１の強い横風などによる引抜きを防ぐことができる。
【００１３】
下側に配設した小口径単管杭３が羽根４を有さないパイプ状の単管杭７である場合は、例えば関東ロームや盛り土層等のような粘土質地盤の場合は、羽根４があると貫入させたときに小口径単管杭３の周囲に突設された羽根４によって生じた空洞が粘土質土壌１５のために埋まらず空洞が残ったままになるので小口径単管杭３を貫入させた後の羽根付き小口径連結管杭１の横風などによる引抜きを防ぐことができないが、図１２に示すようにパイプ状の単管杭７の外周面と粘土質土壌１５とが接触していると前記パイプ状の単管杭７の外周面には粘土質土壌１５からの粘着力Ｃが生じるため、パイプ状の単管杭７を備えた羽根付き小口径連結管杭１を貫入させた後の羽根付き小口径連結管杭１の強い横風などによる引抜きを防ぐことができる。
【００１４】
請求項２に記載の羽根付き小口径連結管杭１の発明は、下側に配設した小口径単管杭３も上側に配設した羽根付き小口径単管杭２と同じように一巻き又は数巻きの螺旋状の羽根４を突設した小口径単管杭３である。羽根付き小口径連結管杭１の少なくとも２箇所に羽根４を有していることにより、砂質系で砂の密度が低い軟弱地盤の場合であっても、図１３に示すように前記羽根４の上部に内部摩擦角φの範囲の砂土壌の重量Ｗ２、Ｗ３が加わるので、砂質系で砂の密度が低い軟弱地盤であっても、羽根付き小口径連結管杭１が貫入された後の前記羽根付き小口径連結管杭１の強い横風などによる引抜きを防ぐことができる。
【００１５】
また、砂質系で砂の密度が低い軟弱地盤の場合は、特に、羽根付き小口径連結管杭１の上端部への太陽光発電パネル、構造物又は建物等からの圧縮荷重により前記羽根付き小口径連結管杭１が沈下するという危険性が予測されるが、砂質系で砂の密度が低い軟弱地盤であっても少なくとも２箇所に前記羽根４の底面に対する接地圧により鉛直方向の荷重に対して、前記羽根付き小口径連結管杭１が沈下しにくいという効果を奏する。
【００１６】
請求項３に記載の羽根付き小口径連結管杭１の発明は、下側に配設した小口径単管杭３の下端部側に下端周縁部を含めた外周壁面をカットする切欠き５を設けたことにより、地盤は年代層によって土の密度が異なり硬質や軟質の地層が積層されているが、貫入時に土の密度が高い硬質の地層に当接しても前記切欠き５によって、容易に貫入させることができるという効果を奏する。
【図面の簡単な説明】
【００１７】
【図１】本発明の羽根付き小口径連結管杭の構成説明図である。
【図２】本発明の羽根付き小口径連結管杭で下側がパイプ状の小口径単管杭の場合の概要図である。
【図３】本発明の羽根付き小口径連結管杭で下側が羽根付きの小口径単管杭の場合の概要図である。
【図４】本発明の羽根付き小口径連結管杭で下側が切欠きを設けた羽根付き小口径単管杭の場合の概要図である。
【図５】貫通孔を２箇所設けた羽根付き小口径単管杭の概要図である。
【図６】管杭の内周壁面に外周壁面が接する管杭ジョイントで、（ａ）がパイプ型、（ｂ）が円柱型、（ｃ）が中央部に円環状の突起を形成したパイプ型の概要図である。
【図７】管杭の外周壁面に内周壁面が接する管杭ジョイントで、（ａ）が中央部に隔壁部を有するパイプ型、（ｂ）がパイプ型の概要図である。
【図８】切欠きの概要図で、（ａ）が三角形状の切欠き、（ｂ）がギザギザ状の複数の三角形状の切欠きを示す説明図である。
【図９】パイプ状の小口径単管杭の概要図である。
【図１０】羽根付きの小口径単管杭の概要図である。
【図１１】切欠きを設けた羽根付き小口径単管杭の概要図である。
【図１２】羽根付き小口径単管杭とパイプ状の単管杭の連結させた管杭を粘土質地盤中に貫入させた状態の説明図である。
【図１３】２本連結させた羽根付き小口径単管杭を砂質で軟弱地盤中に貫入させた状態の説明図である。
【発明を実施するための形態】
【００１８】
本発明に係る羽根付き小口径連結管杭１の発明は、図１乃至図４に示すように、鋼管製の杭本体９の下端部付近の外周に、一巻き又は数巻きの螺旋状の羽根４を突設し、前記杭本体９の上下端縁部からそれぞれ近傍の位置であって、長手方向に対して直角方向で同一方向の貫通孔１０、１１を少なくとも１箇所ずつ設けた羽根付き小口径単管杭２と、前記羽根付き小口径単管杭２の下側に、前記羽根付き小口径単管杭２と同じ外径及び内径を有し、少なくとも、前記羽根付き小口径単管杭２の貫通孔１１と同一の孔径の貫通孔１１を備えた小口径単管杭３と、前記羽根付き小口径単管杭２の下端縁側に、前記羽根付き小口径単管杭２の内周壁面に外周壁面が接する外径を有するパイプ状又は円柱状であって、あるいは、前記羽根付き小口径単管杭２の外周壁面に内周壁面が接する内径を有するパイプ状であって、長手方向に対して直角方向でかつ同一方向の貫通孔１２、１３を少なくとも２箇所設けた管杭ジョイント６と、前記小口径単管杭３の上端部側の貫通孔１１と前記管杭ジョイント６の下端部側の貫通孔１３とを挿通させて締結するボルト１４及びナットと、前記羽根付き小口径単管杭２の下端部側の貫通孔１０と前記管杭ジョイント６の上端部側の貫通孔１２とを挿通させて締結するボルト１４及びナットとを備える。
【００１９】
図１乃至図４に示すような羽根付き小口径連結管杭１の構成は、管杭を２連結させた形態の場合は、上側に図５に示すような羽根付き小口径単管杭２が配設され、下側に図９乃至図１１に示すような小口径単管杭３が配設され、前記羽根付き小口径単管杭２と小口径単管杭３との連結をする、図６又は図７に示すような管杭ジョイント６とを備えている。そして、前記小口径単管杭３の形態には、図９に示すようなパイプ状の単管杭７、図１０に示すような下端縁部が輪状の羽根付き小口径単管杭８、又は、図１１に示すような下端縁部の一部をカットして切欠き５を形成した羽根付き小口径単管杭８がある。そして、前記羽根付き小口径単管杭８は、前記羽根付き小口径単管杭２と略同一の形態を有するが、前記羽根付き小口径単管杭２との違いは、下端部近傍の貫通孔１０を穿孔した形態があるし貫通孔１０を穿孔していない形態があり、また、前記切欠き５を形成した形態があるし前記切欠き５を形成しない形態がある点が異なる。
【００２０】
羽根付き小口径単管杭２は図５に示すような形態をしており、羽根付き小口径単管杭２の杭本体９の材質は、鋼管であればよく、例えば、構造用丸パイプとして使用されるＳＴＫ４００やＳＴＫ５００などの一般構造用炭素鋼鋼管であればよい。また、羽根付き小口径単管杭２の杭本体９の大きさは、例として、直径４８．６ｍｍの小口径である。
【００２１】
また、羽根付き小口径単管杭２に設けた貫通孔１０、１１は、管杭ジョイント６を使用して他の単管杭と連結するときに使用する。前記貫通孔１０、１１は、羽根付き小口径単管杭２の上下端縁部からそれぞれ近傍の位置であって、長手方向に対して直角方向で同一方向の貫通孔１０、１１を少なくとも１箇所ずつ設けている。同一方向の貫通孔１０、１１を上下端側でそれぞれ複数箇所ずつ設ける場合には、上下端側で１箇所ずつのそれぞれ同一方向の貫通孔１０、１１を１つの組み合わせとして、長手方向に対して直角方向の方向は、貫通孔１０、１１のそれぞれ１つずつからなる組み合わせのすべての組み合わせの方向が同一方向であってもいいし、貫通孔１０、１１のそれぞれ１つずつからなる組み合わせのそれぞれの組み合わせごとに方向が異なった方向であってもよい。
【００２２】
また、前記貫通孔１０、１１の位置については、全羽根付き小口径単管杭２や全小口径単管杭３のそれぞれの上端側の貫通孔１１については、それぞれの上端縁部からの縦方向での距離を同一とし、全羽根付き小口径単管杭２のそれぞれの下端側の貫通孔１０については、それぞれの下端縁部からの縦方向での距離を同一とする。前記上端縁部からの縦方向での距離と前記下端縁部からの縦方向での距離とは、同一であっても異なってもよい。これによって、同一形態の管杭ジョイント６を使用することができる。
【００２３】
そして、羽根付き小口径連結管杭１を手動で回転させる場合には前記羽根付き小口径連結管杭１の上端部に回転用の棒を挿入するための貫通孔を設けたり、建設用機械で回転、押圧又は打設する場合には前記羽根付き小口径連結管杭１の上端部に他の建設用機械と連結するための取り付け用部材を取り付ければよい。
【００２４】
一巻き又は数巻きの螺旋状の羽根４は、鋼管製の杭本体９の下端部付近の外周に溶接などで固定する。羽根４を突設させることによって、図１２及び図１３に示すように、該羽根４の上面には内部摩擦角φより上方（図１２及び図１３において点線で左右を囲われた範囲が相当する。）の土壌の重量Ｗ１、Ｗ２、Ｗ３が押圧力となって、羽根付き小口径連結管杭１の強い横風などによる引抜きを防ぐことができる。
【００２５】
また、太陽光発電パネル、構造物又は建物等からの羽根付き小口径連結管杭１に対する圧縮荷重により前記羽根付き小口径連結管杭１が沈下するという危険性が予測されるが、突設させた前記羽根４の底面に対する土壌１５からの接地圧により前記羽根付き小口径連結管杭１が沈下しにくくなる。
【００２６】
羽根付き小口径連結管杭１を構成する羽根付き小口径単管杭２又は羽根付き小口径単管杭８の羽根４については、例として、羽根４の位置が杭本体９の下端縁部から５０〜３００ｍｍ離れた位置に固設され、羽根４の大きさは直径が１００〜２００ｍｍの大きさである。
【００２７】
管杭ジョイント６は、図６及び図７に示すように、羽根付き小口径単管杭２、パイプ状の単管杭７、又は、羽根付き小口径単管杭８のそれぞれの杭本体９の内周壁面に外周壁面が接する外径を有するパイプ状又は円柱状であって、あるいは、前記杭本体９の外周壁面に内周壁面が接する内径を有するパイプ状であって、同一方向に穿孔された貫通孔１２、１３を貫通孔数として少なくとも２箇所設けた形態をしている。
【００２８】
前記パイプ状なる形態には、図６（ａ）に示すように上端部から下端部までが前記杭本体９の内周壁面に接する外径を有する形態、図６（ｃ）に示すように前記杭本体９の内周壁面に接する外径を有し長手方向で中央部の外周壁面に円環状の突起２０を設けた形態、図７（ａ）に示すように前記杭本体９の外周壁面に接する内径を有し長手方向で中央部の内周壁面に隔壁部２２を設けた形態、図７（ｂ）に示すように上端部から下端部までが前記杭本体９の外周壁面に接する内径を有する形態などがある。前記円環状の突起２０又は隔壁部２２は、羽根付き小口径連結管杭１の上側の管杭と下側の管杭との対向する端縁部間に介在する形態で連結時に取り付けられる。
【００２９】
また、前記円柱状なる形態には、図６（ｂ）に示すように上端部から下端部までが前記杭本体９の外周壁面に接する内径を有する形態などがある。
【００３０】
そして、長手方向に対して直角方向で同一方向の貫通孔１２、１３を少なくとも２箇所設けた形態を有している。管杭ジョイント６の上側の貫通孔１２は、羽根付き小口径単管杭２の下端側の貫通孔１０とボルト１４が挿通可能に、管杭ジョイント６の下側の貫通孔１３は、小口径単管杭３である、パイプ状の単管杭７又は羽根付き小口径単管杭８のそれぞれの上端側の貫通孔１１とボルト１４が挿通可能に、位置や貫通孔径の大きさが設定される。
【００３１】
前記管杭ジョイント６の下端部側の貫通孔１３と下側に配設される小口径単管杭３の上端部側の貫通孔１１とにボルト１４を挿通させてナットで締結して下側の小口径単管杭３に管杭ジョイント６が螺設され、前記管杭ジョイント６の上端部側の貫通孔１２と上側に配設される前記羽根付き小口径単管杭２の下端部側の貫通孔１０とにボルト１４を挿通させてナットで締結して上側の羽根付き小口径単管杭２に管杭ジョイント６が螺設される。前記ボルト１４の大きさは、例えば羽根付き小口径単管杭２及び小口径単管杭３が直径４８．６ｍｍの場合にはＭ１０〜Ｍ１６が使用される。
【００３２】
前記管杭ジョイント６の使用によって、羽根付き小口径単管杭２と小口径単管杭３との連結作業が容易にでき、羽根付き小口径連結管杭１を砂質地盤や粘土質地盤に貫入させた後に撤去のために引抜くときに連結部が緩まないので容易に引抜きができるという効果を奏する。
【００３３】
また、羽根付き小口径連結管杭１として３段以上に管杭を連結する場合には、羽根付き小口径単管杭２や小口径単管杭３を、管杭ジョイント６を介設させてボルト１４及びナットで螺設しながら順次継ぎ足していくことができる。
【００３４】
次に、小口径単管杭３について説明する。羽根付き小口径連結管杭１の下側に連結する小口径単管杭３の第一の形態は、図９に示すように、前記羽根付き小口径単管杭２と同じ外径及び内径を有し、前記羽根付き小口径単管杭２の貫通孔１１と同一の孔径の貫通孔１１を設けたパイプ状の形態を有するパイプ状の単管杭７である。
【００３５】
粘土質地盤の場合は、羽根４があると貫入させたときに羽根付き小口径単管杭８の周囲に羽根４によって生じた空洞が粘土質土壌１５のために埋まらず空洞が残ったままになる。粘土質地盤の場合は、小口径単管杭３のうちの一つの形態であるパイプ状の単管杭７の外周面と粘土質土壌１５とが接触していると、図１２に示すようにパイプ状の単管杭７に対する粘土質土壌１５からの粘着力Ｃが生じるため、羽根付き小口径連結管杭１の引抜きを防止できる。したがって、粘土質地盤の場合は羽根４を有さない第一の形態の小口径単管杭３が適している。
【００３６】
次に、羽根付き小口径連結管杭１の下側に連結する小口径単管杭３の第二の形態は、前記羽根付き小口径単管杭２と同じ外径及び内径を有し、前記羽根付き小口径単管杭２の上端側の貫通孔１１と同一の孔径の貫通孔１１を設けたパイプ状の形態であって、鋼管製の杭本体９の下端部付近の外周に、一巻き又は数巻きの螺旋状の羽根４を突設した形態を有し、下端側の貫通孔１０を穿孔させてもいいし穿孔させなくてもいい羽根付き小口径単管杭８である。
【００３７】
第二の形態の小口径単管杭３の形態の場合は、図１０及び図１１のうちのいずれかの羽根付き小口径単管杭８及び羽根付き小口径単管杭２を連結させた羽根付き小口径連結管杭１を図１３に示すように貫入させた場合に、２箇所の羽根４の上部にそれぞれの内部摩擦角φの範囲の土壌の重量Ｗ２、Ｗ３が加わるので、砂質系で砂の密度が低い軟弱地盤であっても、貫入後は羽根付き小口径連結管杭１の引抜きを防止できるし、一方、太陽光発電パネル、構造物又は建物等からの羽根付き小口径連結管杭１への圧縮荷重により羽根付き小口径連結管杭１が沈下するという危険性が予測されるが、２箇所の羽根４によって２箇所の羽根４の底面に対する接地圧が高くなることから、鉛直方向の荷重に対して沈下しにくくなる。したがって、第二の形態の小口径単管杭３の形態の場合は、砂質系で砂の密度が低い軟弱地盤での使用に適する。
【００３８】
次に、羽根付き小口径連結管杭１の下側に連結する小口径単管杭３の第三の形態は、図１１又は図１３に示すに示すように、前記羽根付き小口径単管杭８の下端部側に下端周縁部を含めた外周壁面をカットする切欠き５を前記第一又は前記第二の形態に設けた形態である。
【００３９】
前記切欠き５の形態は、図８（ａ）に示すような三角形状、図８（ｂ）に示すようなギザギザ状の形状などの形態があり、前記小口径単管杭３の下端縁部に鋭角を形成する形態であればよい。前記切欠き５を形成させることによって、地中で土の密度の高い硬質の地層に当接したときに、硬質の地層を砕きながら容易に貫入させることができる。
【００４０】
次に、羽根付き小口径連結管杭１の使用形態を説明する。例えば、土質が砂質か粘土質かを確認して、砂質土質の場合は第一又は第三の形態の小口径単管杭３を選択し、又は粘土質土質の場合は第二又は第三の形態の小口径単管杭３を選択する。そして、公園の地表面Ｇの所要位置に設けられた目印の上方より、垂直方向に立設した、選択した小口径単管杭３の下端部を当接させ、前記選択した小口径単管杭３を地面に貫入させ、羽根４が地面に当接したら、例えば手動の場合は、前記杭本体９の上端近傍に設けた貫通孔に回転用棒を挿入し、手動で回転させながら地盤中を貫入させていく。そして、前記小口径単管杭３の上端部が地表近くまで下がってきたら、一旦停止させて、管杭ジョイント６を上から挿入し前記管杭ジョイント６を前記小口径単管杭３にボルト１４及びナットにより螺設する。その後、上側に配設する羽根付き小口径単管杭２と前記管杭ジョイント６の貫通孔１０を一致させボルト１４及びナットにより螺設する。そして、所要深さまで到達した時点で回転作業を止める。以上により、羽根付き小口径単管杭２が地盤中に埋設される。そして、羽根付き小口径単管杭２の上端近傍に他の建造物等との取付具を固定させることによって地上の建造物の土台部分用のアンカーとすることができる。
【００４１】
次に、小口径単管杭３の第一の形態のパイプ状の単管杭７（表１で第一形態と表す）、小口径単管杭３の第二の形態の羽根付き小口径単管杭８（表１で第二形態と表す）について、それぞれの引抜耐力の結果を表１に示す。表１において、換算Ｎ値はスウェーデン式サウンディング試験によるものであり土壌１５の硬さを示し、引抜耐力は抜けにくさを示す。
【００４２】
【表１】
2015063792.tif 000003
【００４３】
表１より、引抜きにくさを示す引抜耐力を土質が変わってもほぼ同じにするには、粘土質の場合は第一の形態のパイプ状の単管杭７を使用し、軟弱な砂質土の場合は第二の形態の羽根付き小口径単管杭８を使用すれば、最適な使用形態となることが示されている。
【符号の説明】
【００４４】
１              羽根付き小口径連結管杭
２              羽根付き小口径単管杭
３              小口径単管杭
４              羽根
５              切欠き
６              管杭ジョイント
７              パイプ状の単管杭
８              羽根付き小口径単管杭
９              杭本体
１０            貫通孔
１１            貫通孔
１２            貫通孔
１３            貫通孔
１４            ボルト
１５            土壌
２０            円環状の突起
２１            円錐部
２２            隔壁部
φ              内部摩擦角
Ｃ              粘着力
Ｇ              地表面
Ｗ１           土壌の重量
Ｗ２           土壌の重量
Ｗ３           土壌の重量
【図１】
2015063792.tif 000004
【図２】
2015063792.tif 000005
【図３】
2015063792.tif 000006
【図４】
2015063792.tif 000007
【図５】
2015063792.tif 000008
【図６】
2015063792.tif 000009
【図７】
2015063792.tif 000010
【図８】
2015063792.tif 000011
【図９】
2015063792.tif 000012
【図１０】
2015063792.tif 000013
【図１１】
2015063792.tif 000014
【図１２】
2015063792.tif 000015
【図１３】
2015063792.tif 000016